(57)【要約】【課題】圧延ロールの取り外し及び搬送から再度取り付けるまでロールチョックを圧延ロールに対して回転しないようロックし、その後、圧延ロールがロールチョックと共に圧延スタンドへ収納され、更に、圧延ローラの駆動源との接続部、例えば動力伝達部をロールネックに取り付ける際に上記ロックが解除される回転ロック装置を提供すること。【解決手段】ロールチョック（ＬＳ）を備え、該ロールチョック（ＬＳ）で支持される圧延ロールの回転ロック装置において、平面部（ＦＡ）を有し且つロールネック（ＷＺ）の軸方向に摺動可能なスライドハウジングを備え、前記平面部を、前記スライドハウジングの或る一定位置においてロールチョックに固設された接触部材の接触面と密着せしめた。
2007537046.tif 000002
【特許請求の範囲】
【請求項１】
ロールチョック（ＬＳ）を備え、該ロールチョック（ＬＳ）で支持される圧延ロールの回転ロック装置において、
平面部（ＦＡ）を有し且つロールネック（ＷＺ）の軸方向に摺動可能なスライドハウジングを備え、前記平面部を、前記スライドハウジングの或る所定位置においてロールチョック（ＬＳ）に固設された接触部材の接触面と密着せしめることを特徴とする回転ロック装置。
【請求項２】
前記スライドハウジングを、フランジの外側面に平面部（ＦＡ）を有するフランジリング（ＦＲ）として形成したことを特徴とする請求項１記載の回転ロック装置。
【請求項３】
前記フランジリング（ＦＲ）を、ロールチョックに設けた支持ばね（ＳＦ）上に設置したことを特徴とする請求項１記載の回転ロック装置。
【発明の詳細な説明】
【技術分野】
【０００１】
本発明は、圧延スタンドの窓においてロールチョックで支持される圧延ロールの回転ロック装置に関する。
【背景技術】
【０００２】
上記のようなロールを交換する際には、レール構造を利用してロールをロールチョックと共に圧延スタンドの窓を通って取り出している。このようなレール、及び作業に必要な駆動要素のために圧延スタンドの前面に大きな空間を必要とし、これによって圧延用の他の設備の組付及び動作が阻害されることになる。
【０００３】
そこで、圧延ロールの交換をいわゆるポータバーと呼ばれる支持バーによって行うことが既に提案されている。この提案によれば、ロールネックがクレーンに懸吊されたポータバーに連結され、圧延ロールはこの位置において圧延スタンドから取り出される。
【発明の開示】
【発明が解決しようとする課題】
【０００４】
しかしながら、上記ような方法では、搬送動作中にロールチョックが圧延ロールの回りを周回してしまうという問題がある。
【０００５】
そこで、本発明の目的とする処は、圧延ロールの取り外し及び搬送から再度取り付けるまでロールチョックを圧延ロールに対して回転しないようロックし、その後、圧延ロールがロールチョックと共に圧延スタンドへ収納され、更に、圧延ローラの駆動源との接続部、例えば動力伝達部をロールネックに取り付ける際に上記ロックが解除される回転ロック装置を提供することにある。
【課題を解決するための手段】
【０００６】
上記課題は、平面部を有し、当該スライドハウジングの或る所定位置においてロールチョックに固設された接触部材の接触面と密着する、ロールネックの軸方向に摺動可能なシリンダ状のスライドハウジングにより達成される。
【発明の効果】
【０００７】
上記構成によれば、シリンダ状のスライドハウジングがロールチョックに対してロックされる。更に、本発明によれば、スライダハウジングを、その外側面に平面部を備えたシリンダ状のフランジリングスリーブとして形成することもできる。尚、その他の本発明の特徴は従属請求項に記載されている。
【発明を実施するための最良の形態】
【０００８】
以下に本発明の実施の形態を添付図面に基づいて説明する。
【０００９】
図１及び図２に示すように、フランジリングスリーブＦＢがロールネックＷＺ上で該ロールネックＷＺの軸方向に摺動可能に設けられ、更に、フランジリングＦＲの外側面に平面部ＦＡが形成されている。又、接触面を備え且つ前記フランジリングＦＲの平面部ＦＡと接触する接触部材ＡＳがロールチョックＬＳ上に設置されている。
【００１０】
図２に示すように、ロール駆動源の動力伝達部ＴＲがロールネックＷＺ上に設置されており、フランジリングＦＲの下面は、動力伝達部ＴＲに抗して付勢され且つロールチョックＬＳ内に縮装された支持ばねＳＦ上に設置されている。この図示の状態においては、フランジリングＦＲの平面部ＦＡは接触部材ＡＳとは接触しておらず、ロールネックＷＺは、ロールチョックＬＳにおいてフランジリングＦＲと共に回転可能である。
【００１１】
ところで、図４に示すように、ロールの搬送のために動力伝達部ＴＲがロールネックＷＺから撤去されると、ロールチョックＬＳにおける支持ばねＳＦが接触面ＡＦをこれが接触部材ＡＳと接触する位置まで押し上げ、これに伴い、ロールネックＷＺに周設されたフランジリングＦＲの回転がロックされる。
【００１２】
このようなロックは、ロールがロールチョックＬＳと共に圧延スタンドへ格納された後、ロールネックＷＺ上に設置される動力伝達部ＴＲが再びフランジリングＦＲを図２に示すような位置に変位させることにより解除される。
【図面の簡単な説明】
【００１３】
【図１】ロールチョックから見た、ロールネック及びスライドハウジングの断面図である。
【図２】図１に基づく部分的な側面図である。
【図３】図１に対応する他の部分断面図である。
【図４】図３の側面図である。
【図５】図３における一部材を示す図である。
【符号の説明】
【００１４】
ＡＳ          接触部材
ＦＡ          平面部
ＦＢ          フランジリングスリーブ
ＦＲ          フランジリング
ＬＳ          ロールチョック
ＳＦ          支持ばね
ＴＲ          動力伝達部
ＷＺ          ロールネック
【図１】
2007537046.tif 000003
【図２】
2007537046.tif 000004
【図３】
2007537046.tif 000005
【図４】
2007537046.tif 000006
【図５】
2007537046.tif 000007
【手続補正書】
【提出日】平成18年11月14日(2006.11.14)
【手続補正１】
【補正対象書類名】特許請求の範囲
【補正対象項目名】請求項３
【補正方法】変更
【補正の内容】
【請求項３】
前記フランジリング（ＦＲ）を、ロールチョックに設けた支持ばね（ＳＦ）上に設置したことを特徴とする請求項２記載の回転ロック装置。
【手続補正２】
【補正対象書類名】明細書
【補正対象項目名】００１４
【補正方法】変更
【補正の内容】
【００１４】
ＡＦ 接触面
ＡＳ          接触部材
ＦＡ          平面部
ＦＢ          フランジリングスリーブ
ＦＲ          フランジリング
ＬＳ          ロールチョック
ＳＦ          支持ばね
ＴＲ          動力伝達部
ＷＺ          ロールネック
【手続補正３】
【補正対象書類名】図面
【補正対象項目名】図３
【補正方法】変更
【補正の内容】
【図３】
2007537046.tif 000008
【手続補正４】
【補正対象書類名】図面
【補正対象項目名】図４
【補正方法】変更
【補正の内容】
【図４】
2007537046.tif 000009
【手続補正５】
【補正対象書類名】図面
【補正対象項目名】図５
【補正方法】変更
【補正の内容】
【図５】
2007537046.tif 000010
【国際調査報告】
2007537046.tif 000011
2007537046.tif 000012
2007537046.tif 000013
2007537046.tif 000014